(57)【特許請求の範囲】
【請求項１】
移動可能なシート処理手段を有するシート処理装置において、
シートが積載される積載台と、
前記シート処理手段により前記積載台上で処理されたシートが排出される排紙トレイと、
前記シート処理手段の移動範囲をカバーし、シートの排出開口を閉じるシャッタを設け、
該シャッタを開放した状態で、シートをシート反転ドラムの回転により反転させながら前記積載台と前記排紙トレイとに掛け渡して集積し、
前記シャッタを閉じた状態で、前記シート処理手段の移動及び処理動作を可能にしたことを特徴とするシート処理装置。
【請求項２】
前記シート処理手段がステープラであることを特徴とする請求項１に記載のシート処理装置。
【請求項３】
前記シート処理手段が孔あけ器であることを特徴とする請求項１に記載のシート処理装置。
【請求項４】
搬入されたシートを反転した後、前記積載台と前記排紙トレイに掛け渡して集積し、前記積載台上でシートを前記シート処理手段により処理した後、処理したシートを前記積載台から前記排紙トレイに排出することを特徴とする請求項１〜３のいずれか１項に記載のシート処理装置。
【発明の詳細な説明】
【０００１】
【発明の属する技術分野】
本発明はシート処理装置、特に複写機、プリンタ等の画像形成装置から排出されるシートを綴じ処理、孔あけ処理等の後処理をしてトレイに排出するシート処理装置に関する。
【０００２】
【従来の技術】
前記のシート処理装置では、綴じ処理にせよ、孔あけ処理にせよ、処理に鋭い突起を有する金属を用いるので、安全装置を具備する必要がある。例えば、綴じ処理を行うステープラではステープル部にシャッタを設けて、このシャッタが閉じたときにのみステープルが行われるように構成されている。
【０００３】
【発明が解決しようとする課題】
前記のような従来のステープラにおける安全装置はステープル動作自体に対する安全装置としては満足できるが、シート処理装置全体で見るとき、十分な安全装置とは言えない。
【０００４】
ステープラ、孔あけ器等のシート処理装置は処理するシートのサイズにより、或いは、使用者の操作によって種々の処理位置に移動しうるように構成されているものが多い。このようなシート処理装置の移動はモータによって行われるが、移動中に使用者の手が接触したりすると、移動するシート処理装置によって挟まれて、不慮の怪我をする危険がある。
【０００５】
従来のシート処理装置の安全装置はステープラ等のシート処理装置自体に設けられているためにこのようなシート処理装置の移動時の危険に対する安全装置として機能しえないという問題があった。
【０００６】
従って、本発明の目的は、前記のような従来のシート処理の安全装置における問題を解消して、シート処理装置の作動に対する安全装置としては勿論、移動時の危険に対しても対策が取られた安全装置を具備したシート処理装置を提供することにある。
【０００７】
【課題を解決するための手段】
前記の目的は、
移動可能なシート処理手段を有するシート処理装置において、
シートが積載される積載台と、
前記シート処理手段により前記積載台上で処理されたシートが排出される排紙トレイと、
前記シート処理手段の移動範囲をカバーし、シートの排出開口を閉じるシャッタを設け、
該シャッタを開放した状態で、シートをシート反転ドラムの回転により反転させながら前記積載台と前記排紙トレイとに掛け渡して集積し、
前記シャッタを閉じた状態で、前記シート処理手段の移動及び処理動作を可能にしたことを特徴とするシート処理装置。
【０００８】
【発明の実施の形態】
図１は本発明の実施の形態にかかるシート処理装置の正面図である。このシート処理装置は３個の排紙トレイ２１ａ，２１ｂ，２１ｃを備えている。なお、下方の排紙トレイ２１ａ、２１ｂについては、装置の排紙部を見やすくするためにトレイの基部と排紙ローラ群２５ａ，２５ｂのみを示しており、トレイ部分は示していない。上方の排紙トレイ２１ｃは固定トレイであり、一枚づつの複写或いは、プリント時にこのトレイに排紙される。下方の排紙トレイ２１ａ，２１ｂは可動排紙トレイであり、排紙トレイ２１ａは作動位置から図示の上限位置まで移動する。排紙トレイ２１ｂは図示の下限位置から作動位置まで移動することができる。図１はシート処理装置の排紙開口部を示すために、排紙トレイ２１ａ，２１ｂをそれぞれの非作動位置である上限位置、及び下限位置に移動させているが、作動位置では、排紙補助ローラ群２５ａ又は２５ｂがほぼ積載台２３の位置にあるように移動する。
【０００９】
シートの排出開口Ｗは、シート反転ドラム３及び案内板５１ａ，５１ｂと積載台との間の空間であり、該排出開口Ｗには、シート反転ドラム３，該シート反転ドラム３とほぼ同一形状の案内面を有する案内板５１ａ，５１ｂが臨んでいる。１５ａ，１５ｂは綴じ処理を行うステープラであり、処理するシートのサイズ信号に応じてＡ位置とＢ位置間を移動する。１６ａ、１６ｂはシートの位置を揃える規制部材であり、図示しないモータにより、積載台２３にシートが載置される毎に所定位置に移動してシートを所定位置に揃える。２５ａ、２５ｂはそれぞれ排紙トレイ２１ａ、２１ｂに設けられた排紙補助ローラ群であり、排紙口から排出されたシートの姿勢を排紙トレイ２１ａ、２１ｂ上に揃える機能を有する。
【００１０】
本シート処理装置が接続される画像形成装置は複写機能、プリンタ機能、ファクシミリ機能等を具備した多機能画像形成装置である。複写によって出力されたシートを排紙トレイ２１ａに、印刷によって出力されたシートを排紙トレイ２１ｂに排紙するように、或いはその逆の使い分けをすることができる。またファクシミリ機能から出力されたときにも、同様な使い分けをすることが可能である。
【００１１】
図２は本発明の実施の形態にかかるシート処理装置の断面図（図１における線Ｍ−Ｍに沿った断面図）である。
【００１２】
この装置の図左上方から供給されたシートはシート反転ドラム３で表裏反転されて積載台２３に積載された後ステープラ１５ａ、１５ｂにより綴じ処理されて排紙トレイ２１ａ（又は排紙トレイ２１ｂ）に排出される。ステープラ１５ａ、１５ｂはシートサイズに応じてＡ，Ｂで示す位置（図１に示す位置）間を移動可能に構成されており、シートサイズに対応した位置に移動して綴じ処理を行う。
【００１３】
図２によって、シート処理装置の反転、綴じ処理及び排出の各動作を説明する。
【００１４】
画像形成装置から搬入されたシートは搬送系１によって、搬送ローラ２に供給される。シートが供給された時点で搬送ローラ２とともにシート反転ドラム３が矢印で示す反時計方向に回転している。シートの先端は可動シート保持部材４と固定シート保持部材７によって挟まれ、保持されてシート反転ドラム３の周面に沿って搬送される。シートの先端がシート排出腕２０に到達すると、該先端はシート排出腕２０によって移動を阻止されて可動シート保持部材４と固定シート保持部材７とによる保持から外れて積載台２３上に止まる。積載台２３上には、シート反転ドラム上３での先端が後端になり、シート反転ドラム３上での後端が先端になった状態で載置される。即ち、表裏反転されて積載台２３上に載置される。
【００１５】
可動シート保持部材４と固定シート保持部材７は次のような機構によって、シート先端を保持する。
【００１６】
可動シート保持部材４は軸４ａに回転自在に支持されており、バネ５によって反時計方向に付勢されている。可動シート保持部材４にはコロ８が固定されており、コロ８は固定カム９と関連する。固定カム９は図示のようにシート反転ドラム３の頂点に対応する角度位置に設けられており、可動シート保持部材４、言い換えるとコロ８がシート反転ドラム３の頂点近傍に移動してきたときにコロ８に作用して、可動シート保持部材４を反時計方向に回転させる。その結果、可動シート保持部材４はシート反転ドラム４の頂点近傍において、図２に示すようにシート反転ドラム３の周面から突出した解放状態をとる。この状態でシート先端を受け入れて、頂点近傍から離れると、可動シート保持部材４は固定シート保持部材７に圧接して受け入れたシート先端を保持する。
【００１７】
図２に示すシート反転装置は次に説明するようにシートの先端をシート排出腕２０の位置に整合させる機構を備えている。
【００１８】
１１、１３は整合部材であり、それぞれシート反転ドラム３に設けた軸１１ａ，１３ａに回転自在に支持されている。軸１１ａ，１３ａを挟んで重り１２、１４がそれぞれ整合部材１１、１３と一体に設けられており、これら重りの作用で整合部材１１、１３はこれらが積載台２３の近傍を通過する角度位置においてシート反転ドラム３の周面から突出し、その他の角度位置ではシート反転ドラム３の周面に沿った状態でシート反転ドラム３の周面の一部を形成する姿勢をとる。
【００１９】
整合部材１１、１３が積載台２３の上方かつ近傍を通過するときにシート反転ドラム３の周面から突出することによって、シート保持部材４、７による保持が解除され、積載台２３に載置されたシートを図２の右方に押してその先端をシート排出腕２０に寄せてシートの先端を整合する。
【００２０】
シート反転ドラム３の回転によって、シートは積載台２３上に次々と載置され、図２にＰで示すように集積される。このようにシートの反転及び集積を行うにはシートの排出開口Ｗを広くとることが望ましい。
【００２１】
所定枚数のシートが積載台２３に集積されると、ステープラ１５ａ，１５ｂが作動して綴じ処理を行う。ステープラ１５ａ，１５ｂはシート処理装置に搬入されるシートのサイズ信号に従って、各サイズに対応した位置に移動して綴じ処理を行う。
【００２２】
次に、安全装置について図１及び図３により説明する。図３は、図１における線Ｎ−Ｎに沿った断面図である。
【００２３】
図１に示すように、シャッタ３０はシートの排出開口Ｗのシート反転ドラム３の位置を残してほぼ全幅に亘って延設されている。即ち、ステープラ１５ａ，１５ｂの全移動範囲をカバーするように設けられている。シャッタ３０は軸３１に回転自在に支持されており、突起３２を有する。シャッタ３０はソレノイド３３により駆動されて一点鎖線で示す位置に移動してシートの排出開口Ｗを閉じる。突起３２はシャッタ３０が一点鎖線の位置に変位したときにマイクロスイッチ３４のアクチュエータに作用する。
【００２４】
マイクロスイッチ３４はステープラ１５ａ、１５ｂの移動及びステープル動作の制御用のスイッチであり、突起３２がアクチュエータを押していないときには、ステープラ１５ａ，１５ｂは作動し得ないように構成される。則ち、シャッタ３０が開いており、ステープラ１５ａ，１５ｂに外部から接触可能な状態ではステープラ１５ａ，１５ｂは作動しないように構成される。シャッタ３０が一点鎖線で示す位置に変位し、閉じて外部から接近できないようにステープラ１５ａ，１５ｂの近傍を閉鎖して、突起３２がマイクロスイッチ３４のアクチュエータを押したときにのみステープラ１５ａ，１５ｂは、モータ３５により駆動されて移動するとともに、ステープル動作が可能となるように駆動制御回路が構成される。
【００２５】
所定枚数のシートが積載台２３上に集積されたときに画像形成装置からのステープル指令信号を受けて制御部３６は、シャッタ３０を閉じる信号を出してソレノイド３３が作動させる。この作動によって、ソレノイド３３のプランジャ３３１がシャッタ３０に取り付けられたばね３０１に抗してシャッタ３０を反時計方向に回転させて一点鎖線で示す位置に移動させる。この移動により、マイクロスイッチ３４が閉じることによって、ステープラ１５ａ，１５ｂの作動条件が整う。シャッタ３０のこの作動の後、制御部３６はモータ３５を起動して、ステープラ１５ａ，１５ｂをシートサイズに応じた位置に移動させ、ステープル作動をさせる制御信号を出して綴じ処理を行う。
【００２６】
シャッタ３０の閉じ動作の際に、操作者の指が積載台２３上に挿入される等異物が介在しいている時には、シャッタ３０が作動しないために、マイクロスイッチ３４から信号が出力しない、従って、画像形成装置からステープル信号が出た場合であっても、制御部３６はステープラ１５の移動及びステープル作動の指令信号を出力しない。
【００２７】
なお、制御部３６はいかなる場合にもマイクロスイッチ３４からのシャッタ３０の閉信号を受けないときにはステープル１５ａ、１５ｂの移動及びステープル動作をしないように制御することは勿論である。
【００２８】
以上実施の形態を説明したが、本発明は前記の実施の形態に限定されるものではなく、請求項に記載した範囲内で種々の変形が可能である。例えば、シート処理手段として孔あけ器、等があるし、シート処理手段としてシート１ヶ所或いは３以上の部分にステープル等を行うことも可能である。
【００２９】
【発明の効果】
ステープラ、孔あけ器等のシート処理手段のシート処理動作時の安全のみでなく、シート処理手段の移動時に安全も確保された。
【００３０】
また、前記のような安全が確保された結果、シートの排出開口を広くすることが可能になって、シートの反転排出をスムーズに行うことができるようになり、信頼度の高いシート処理装置が実現された。
【図面の簡単な説明】
【図１】本発明の実施の形態にかかるシート処理装置の正面図である。
【図２】図１における線Ｍ−Ｍに沿った断面図である。
【図３】図１における線Ｎ−Ｎに沿った断面図である。
【符号の説明】
１５ａ，１５ｂ  ステープラ（シート処理手段）
３０  シャッタ
３３  ソレノイド
３４  マイクロスイッチ
【図１】
0003815011.tif 000002
【図２】
0003815011.tif 000003
【図３】
0003815011.tif 000004